(57)【要約】【課題】本発明は、ハードディスクドライブ固定装置を提供する。【解決手段】本発明のハードディスクドライブ固定装置は、２つの側壁それぞれに少なくとも１つの固定柱が設置されたハードディスクドライブを固定するために用いられ、且つブラケット及び回転装置を備え、ブラケットは、両側に位置する２つの固定壁と、一端に位置し且つ２つの固定壁の間に接続される端壁と、を備え、各々の固定壁には、少なくとも１つの係合スロットが設けられ、各々の固定柱は、対応する係合スロットに挿入されて端壁に向かってスライドすることができ、回転装置は、２つの固定壁の端壁から離れている一端に設置されて端壁に向かってハードディスクドライブを推進する固定ロッドと、固定ロッドの両端に設置され且つ対応する固定壁に回転可能に接続される２つの回転ロッドと、一方の回転ロッドの端部に設置され且つ固定壁に係合されるラッチングロッドと、を備える。【選択図】図４
2013065292.tif 000002
【特許請求の範囲】
【請求項１】
２つの側壁それぞれに少なくとも１つの固定柱が設置されたハードディスクドライブを固定するために用いられ、且つ前記ハードディスクドライブを収容するブラケット及び回転装置を備えてなるハードディスクドライブ固定装置であって、
前記ブラケットは、両側に位置する２つの固定壁と、一端に位置し且つ２つの前記固定壁の間に接続される端壁と、を備え、各々の前記固定壁には、少なくとも１つの係合スロットが設けられ、各々の前記固定柱は、対応する前記係合スロットに挿入されて前記端壁に向かってスライドすることができ、
前記回転装置は、２つの前記固定壁の前記端壁から離れている一端に設置されて前記端壁に向かって前記ハードディスクドライブを推進する固定ロッドと、前記固定ロッドの両端に設置され且つ対応する前記固定壁に回転可能に接続される２つの回転ロッドと、一方の前記回転ロッドの端部に設置され且つ前記固定壁に係合されるラッチングロッドと、を備えることを特徴とするハードディスクドライブ固定装置。
【請求項２】
２つの前記回転ロッドは、前記固定ロッドの２つの自由端から外に向かって垂直に延在して形成され、前記ラッチングロッドは、１つの前記回転ロッドの自由端から前記固定ロッドの片側に向かって延在して形成されることを特徴とする請求項１に記載のハードディスクドライブ固定装置。
【請求項３】
前記固定壁の外側には、係合フックが突出して形成され、前記ラッチングロッドの中央部には操作部が形成され、前記操作部の両端には、前記回転ロッドに接続される接続ロッド及び前記係合フックに係合する係合部が形成されることを特徴とする請求項１または２に記載のハードディスクドライブ固定装置。
【請求項４】
前記回転装置の前記固定ロッドの内側には、当接部材が設置され、前記ブラケットは、その底部に位置する底壁及び前記底壁の前記端壁から離れている一端から上に向かって垂直に延在して形成される定位板をさらに備えることを特徴とする請求項１から３のいずれか一項に記載のハードディスクドライブ固定装置。
【請求項５】
各々の前記係合スロットは、前記固定壁の上辺から前記底壁に向かって延在される挿入口と、前記挿入口の底部から前記端壁に向かって延在して形成されるスライドスロットと、を備え、各々の前記固定柱は、対応する前記係合スロットの挿入口からスライドスロットに挿入されて、前記スライドスロットに沿って前記端壁に向かってスライドすることを特徴とする請求項４に記載のハードディスクドライブ固定装置。
【請求項６】
各々の前記固定壁の前記端壁から離れている一端には、回転スロットが設けられ、前記回転スロットは、前記固定壁の上辺から前記底壁に向かって延在されるガイドスロットと、前記ガイドスロットの底部から前記端壁に対して離れる方向に向かって延在して形成される回転孔と、を備え、前記回転装置の回転ロッドは、対応する前記回転スロットのガイドスロットから回転孔に挿入されることを特徴とする請求項４または５に記載のハードディスクドライブ固定装置。
【発明の詳細な説明】
【技術分野】
【０００１】
本発明は、ハードディスクドライブ固定装置に関するものである。
【背景技術】
【０００２】
ハードディスクドライブホルダーは、ハードディスクドライブをコンピューターケース内に設置するために用いられる。ハードディスクドライブをハードディスクドライブホルダーに固定する場合、ねじでハードディスクドライブをハードディスクドライブホルダーに直接固定するか、又は先ずねじでハードディスクドライブ及びハードディスクドライブホルダーにスライドレール及びスライドスロットをそれぞれ固定してから、ハードディスクドライブをハードディスクドライブホルダーに引き込み、最終的にねじまたは他の固定素子でハードディスクドライブをハードディスクドライブホルダーに固定する。
【発明の概要】
【発明が解決しようとする課題】
【０００３】
しかし、ハードディスクドライブをコンピューターケース内に取り付けるか、又はコンピューターケースから取り出す場合、大量のねじを取り付けるか又は取り外すことを必要とするので、操作に手間がかかる。
【０００４】
本発明の目的は、前記課題を解決し、ハードディスクドライブの着脱操作が容易であるハードディスクドライブ固定装置を提供することである。
【課題を解決するための手段】
【０００５】
本発明に係るハードディスクドライブ固定装置は、２つの側壁それぞれに少なくとも１つの固定柱が設置されたハードディスクドライブを固定するために用いられ、且つ前記ハードディスクドライブを収容するブラケット及び回転装置を備え、
前記ブラケットは、両側に位置する２つの固定壁と、一端に位置し且つ２つの前記固定壁の間に接続される端壁と、を備え、各々の前記固定壁には、少なくとも１つの係合スロットが設けられ、各々の前記固定柱は、対応する前記係合スロットに挿入されて前記端壁に向かってスライドすることができ、
前記回転装置は、２つの前記固定壁の前記端壁から離れている一端に設置されて前記端壁に向かって前記ハードディスクドライブを推進する固定ロッドと、前記固定ロッドの両端に設置され且つ対応する前記固定壁に回転可能に接続される２つの回転ロッドと、一方の前記回転ロッドの端部に設置され且つ前記固定壁に係合されるラッチングロッドと、を備える。
【発明の効果】
【０００６】
従来の技術に比べて、本発明のハードディスクドライブ固定装置は、回転装置のラッチングロッドを回転することにより、回転ロッドを回転させて、固定ロッドは回転ロッドに連動されてハードディスクドライブを推進し、ハードディスクドライブの固定柱はブラケットの固定壁の対応する係合スロットにスライド可能に係合されて、ハードディスクドライブをブラケットに固定し、ハードディスクドライブを取り出す場合、回転装置のラッチングロッドを反対方向に回転することにより、回転ロッドを回転させて、固定ロッドがハードディスクドライブから離れるようにして、ハードディスクドライブを取り出すことができ、ハードディスクドライブの着脱操作に便利である。
【図面の簡単な説明】
【０００７】
【図１】本発明の実施形態に係るハードディスクドライブ固定装置及びハードディスクドライブの分解図である。
【図２】本発明の実施形態に係るハードディスクドライブ固定装置とハードディスクドライブとの分解図である。
【図３】図２に示すハードディスクドライブ固定装置とハードディスクドライブとの組立図である。
【図４】図２に示すハードディスクドライブ固定装置とハードディスクドライブとの組立図である。
【発明を実施するための形態】
【０００８】
以下、図面を参照して、本発明の実施形態について説明する。
【０００９】
図１を参照すると、本発明の実施形態に係わるハードディスクドライブ固定装置１００は、ハードディスクドライブ３００をコンピューターケース内に設置するために用いられ、ブラケット２０及び回転装置４０を備える。前記ハードディスクドライブ３００は、対向する２つの側壁３１０を備え、各々の前記側壁３１０には、２つの固定孔３１２が互いに離間して設けられ、４つの固定柱３１４は、対応する前記固定孔３１２にそれぞれ固定される。本実施形態において、前記固定孔３１２はねじ孔であり、前記固定柱３１４はねじである。
【００１０】
前記ブラケット２０は、略矩形の底壁２２と、前記底壁２２の対向する２つの側辺から上に向かって垂直に延在して形成される２つの固定壁２４と、前記底壁２２の後端から上に向かって垂直に延在して２つの前記固定壁２４の後端の間に接続される端壁２５と、前記底壁２２の前端から上に向かって垂直に延在して形成される定位板２８と、を備える。各々の前記固定壁２４の外側には、前記固定壁２４の上辺に接続される取付部２６が設置されており、この取付部２６は、前記ブラケット２０をコンピューターケース内に取り付けるために用いられる。前記取付部２６は、前記固定壁２４の上辺から前記底壁２２に対して平行に延在して形成される頂板２６２と、前記頂板２６２における前記固定壁２４と接続している側辺の反対側に位置する側辺から下に向かって垂直に延在して形成される側板２６４と、前記側板２６４における前記頂板２６２と接続している側辺の反対側に位置する側辺から前記頂板２６２の反対側に向かって垂直に延在して形成される底板２６６と、を備える。各々の前記固定壁２４には、２つのＬ字状の係合スロット２４２及び１つのＬ字状の回転スロット２４６が設けられる。前記係合スロット２４２は、前記取付部２６の頂板２６２から前記固定壁２４の上辺を越えて前記固定壁２４の上下方向の中央部まで延在して形成される挿入口２４３と、前記挿入口２４３の底部から前記端壁２５に向かって延在して形成されるスライドスロット２４５と、を備える。前記回転スロット２４６は、２つの前記係合スロット２４２の前方に位置し、前記固定壁２４の上辺から下方に向かって延在して形成されるガイドスロット２４７と、前記ガイドスロット２４７の底部から前記端壁２５に対して離れる方向に向かって延在して形成される回転孔２４８と、を備える。右側に位置する前記取付部２６の側板２６４にも前記回転スロット２４６が設けられ、右側に位置する前記取付部２６の側板２６４に設けられた前記回転スロット２４６と右側に位置する前記固定壁２４に設けられた前記回転スロット２４６とは互いに対応し、２つの前記回転スロット２４６のガイドスロット２４７は右側に位置する前記取付部２６の頂板２６２まで延在される。右側に位置する前記取付部２６の側板２６４の中央には、下向きの係合フック２４９が突出して形成される。
【００１１】
他の実施形態において、前記ブラケット２０の２つの固定壁２４の外側に前記取付部２６を設置しなくてもよく、その場合、前記ブラケット２０を直接コンピューターケース内に固定し、前記係合フック２４９を直接前記固定壁２４の外側に設置することができる。
【００１２】
前記回転装置４０は、回転部材４２及び当接部材４４を備える。
【００１３】
本実施形態において、前記回転部材４２は、Ｕ字状の固定ロッド４２２と、前記固定ロッド４２２の互いに反対側に位置する２つの自由端から外側に向かって垂直に延在される回転ロッド４２４と、右側の前記回転ロッド４２４の自由端から前記固定ロッド４２２に向かって延在されるラッチングロッド４２５と、を備える。前記ラッチングロッド４２５は、右側の前記回転ロッド４２４の自由端から前記固定ロッド４２２に向かって斜めに延在される接続ロッド４２６と、前記接続ロッド４２６の自由端から前記固定ロッド４２２に対して離れる方向に向かって延在されるＶ字状の操作部４２８と、前記操作部４２８の自由端から前記接続ロッド４２６に対して離れる方向に向かって延在される係合部４２９と、を備える。本実施形態において、前記回転部材４２は金属糸のような弾性材料を曲げて形成される。
【００１４】
前記当接部材４４は、略矩形であり、前記回転部材４２の固定ロッド４２２の内側に固定され、前記当接部材４４の長手方向の両端及び一方の長側辺には、前記固定ロッド４２２に固定される固定部４４４がそれぞれ形成され、前記当接部材４４の他方の長側辺は、中央部が外に向かって延在されることによって当接板４４６を形成する。
【００１５】
図２を参照すると、前記ハードディスクドライブ固定装置１００を組み立てる場合、前記回転部材４２の２つの回転ロッド４２４を前記ブラケット２０の対応する回転スロット２４６にそれぞれ挿入して、各々の前記回転ロッド４２４は、対応する前記回転スロット２４６のガイドスロット２４７から回転孔２４８に挿入される。この時、前記回転装置４０は、前記ブラケット２０に回転可能に装着されて、前記回転部材４２のラッチングロッド４２５及び前記係合フック２４９は、前記ブラケット２０の同じ側に位置する。
【００１６】
図３及び図４を参照すると、前記ハードディスクドライブ３００を取り付ける場合、複数の前記固定柱３１４を前記ハードディスクドライブ３００の対応する前記固定孔３１２にそれぞれ固定する。前記操作部４２８を操作して前記回転部材４２を回転させて、前記当接部材４４が前記ブラケット２０の定位板２８に平行となるようにする。前記ハードディスクドライブ３００の複数の固定柱３１４を対応する前記挿入口２４３から対応する前記スライドスロット２４５にそれぞれ挿入する。前記操作部４２８を操作して前記回転部材４２を回転させると、前記当接部材４４の長側辺の固定部４４４は前記端壁２５に向かって前記ハードディスクドライブ３００を推進するので、各々の前記固定柱３１４は対応する前記係合スロット２４２のスライドスロット２４５に沿ってスライドして最終的に前記スライドスロット２４５の端部に当止される。この時、前記当接部材４４の当接板４４６は前記定位板２８に当接する。続いて、前記ハードディスクドライブ３００に近付くように前記操作部４２８を押圧して、前記回転部材４２の接続ロッド４２６を弾性変形させ、前記回転部材４２の係合部４２９を前記ブラケット２０の係合フック２４９に係合させる。このように前記ハードディスクドライブ３００を前記ブラケット２０に固定する。
【００１７】
前記ハードディスクドライブ３００を取り外す場合、前記操作部４２８を操作して、前記回転部材４２の係合部４２９が前記ブラケット２０の係合フック２４９から退出するようにすると、前記回転部材４２の接続ロッド４２６は弾性復帰し、前記ハードディスクドライブ３００から離れるように前記操作部４２８を回転して、前記当接部材４４の当接板４４６は前記定位板２８から離れる。そして、前記定位板２８に向かって前記ハードディスクドライブ３００を引き出すことによって、各々の前記固定柱３１４は、対応する前記係合スロット２４２のスライドスロット２４５に沿ってスライドして前記係合スロット２４２の挿入口２４３の底部に位置する。この時、前記ハードディスクドライブ３００を前記ブラケット２０から離れる方向に向かって引き出すことで、前記ハードディスクドライブ３００を取り出すことができる。
【００１８】
以上、本発明を実施例に基づいて具体的に説明したが、本発明は、上述の実施例に限定されるものではなく、その要旨を逸脱しない範囲において、種々の変更が可能であることは勿論であって、本発明の技術的範囲は、以下の特許請求の範囲から決まる。
【符号の説明】
【００１９】
２０  ブラケット
２２  底壁
２４  固定壁
２５  端壁
２６  取付部
２８  定位板
４０  回転装置
４２  回転部材
４４  当接部材
１００  ハードディスクドライブ固定装置
２４２  係合スロット
２４３  挿入口
２４５  スライドスロット
２４６  回転スロット
２４７  ガイドスロット
２４８  回転孔
２４９  係合フック
２６２  頂板
２６４  側板
２６６  底板
３００  ハードディスクドライブ
３１０  側壁
３１２  固定孔
３１４  固定柱
４２２  固定ロッド
４２４  回転ロッド
４２５  ラッチングロッド
４２６  接続ロッド
４２８  操作部
４２９  係合部
４４４  固定部
４４６  当接板
【図１】
2013065292.tif 000003
【図２】
2013065292.tif 000004
【図３】
2013065292.tif 000005
【図４】
2013065292.tif 000006